(57)【要約】【課題】飲食店や一般家庭などで発生する食品廃棄物や製紙工場で発生するスラッジなどの廃棄物を確実かつ効率良く処理することのできる廃棄物処理技術を提供する。【解決手段】木材チップと、米糠と、籾殻と、杉の樹皮と、楠の木の枝辺と、ネズミモチの木の枝片とを含む廃棄物処理剤Ａが収容された処理槽１内に廃棄物Ｎを投入し、モータ９を稼働させ、撹拌スクリュー１２などを所定時間、連続的に回転させることにより、廃棄物処理装置１０の処理槽１内の廃棄物Ｎを粉砕、撹拌すると、廃棄物処理剤Ａの作用による発酵、粒状化および昇温に伴う水分蒸発が進行し、最終的には、サラサラ状に乾燥した粒状の処理物が処理槽１内に形成される。【選択図】図１
2007181815.tif 000002
【特許請求の範囲】
【請求項１】
木材チップと、米糠と、籾殻と、杉の樹皮と、樹木の枝片とを含むことを特徴とする廃棄物処理剤。
【請求項２】
前記樹木の枝片として、楠の木の枝片およびネズミモチの木の枝片を用いた請求項１記載の廃棄物処理剤。
【請求項３】
廃棄物を収容可能な処理槽と、前記処理槽内に下端部を開口した状態で立設され周壁に複数の貫通孔が開設された筒状体と、前記筒状体内に回転可能に軸支され螺旋状の撹拌部材を有する撹拌スクリューとを備えた廃棄物処理装置の前記処理槽内に、請求項１または２記載の廃棄物処理剤および廃棄物を収容し、前記撹拌スクリューを回転させて前記廃棄物および前記廃棄物処理剤を撹拌することを特徴とする廃棄物処理方法。
【請求項４】
廃棄物を収容可能な処理槽と、前記処理槽内に下端部を開口した状態で立設され周壁に複数の貫通孔が開設された筒状体と、前記筒状体内に回転可能に軸支され螺旋状の撹拌部材を有する撹拌スクリューとを備えた廃棄物処理装置の前記処理槽内に、請求項１または２記載の廃棄物処理剤および廃棄物を収容し、前記撹拌スクリューを回転させて前記廃棄物および前記廃棄物処理剤を撹拌することによって形成された処理物。
【請求項５】
前記廃棄物が製紙工場で発生するスラッジである請求項４記載の処理物。
【発明の詳細な説明】
【技術分野】
【０００１】
本発明は、飲食店や一般家庭などで発生する残飯・食品屑などの食品廃棄物あるいは製紙工場で発生するスラッジなどの廃棄物を処理する技術に関する。
【背景技術】
【０００２】
飲食店や一般家庭などから出される生ごみなどの廃棄物の処理手段については、従来、様々な技術が開発されているが、本願に関連するものとして、生ゴミを発酵処理することによって堆肥化する生ゴミ処理装置がある（例えば、特許文献１，２参照。）。これらの生ゴミ処理装置は、処理槽内に投入された生ゴミおよび処理剤を撹拌スクリューで粉砕、撹拌することにより、処理剤に含まれている微生物などの作用によって生ゴミを発酵、堆肥化させていくものである。
【０００３】
このような処理工程において使用される処理剤は、木質細片、生ゴミ分解用微生物などを含むもの（例えば、特許文献３参照）、あるいは植物の焼却灰、炭水化物、炭水化物分解微生物、タンパク質、タンパク質分解微生物、米ぬか、籾殻類などを成分とするもの（例えば、特許文献４参照。）などがある。特許文献１，２に記載された生ゴミ処理装置の処理槽内に、生ゴミとともに、特許文献３，４に記載された処理剤を投入した後、撹拌スクリューを回転させて撹拌することにより、生ゴミを発酵、堆肥化させていくことができる。
【０００４】
【特許文献１】特開平６−１８３８７０号公報
【特許文献２】特開平７−８８３０号公報
【特許文献３】特開平８−２８１２４５号公報
【特許文献４】特開２０００−３０１１２１号公報
【発明の開示】
【発明が解決しようとする課題】
【０００５】
特許文献３，４などに記載されている処理剤などを特許文献１，２記載の処理装置に投入して稼働させることにより、ある程度の成果を得ることができるが、従来の処理剤は、処理対象である生ゴミの種類により発酵作用や堆肥化作用などにバラつきが生じることがある。例えば、特定成分のみからなる廃棄物を処理した場合、粉砕、発酵および堆肥化が円滑に行われないことがある。具体的には、処理槽内において、一旦粉砕された廃棄物の再粒状化現象が著しく進行して、撹拌スクリューの回転に支障を来すような巨大な塊状体が形成されたり、強烈な悪臭が発生したりすることがある。
【０００６】
一方、製紙工場で発生するスラッジなどの廃棄物を、特許文献３，４などに記載されている廃棄物処理剤とともに特許文献１，２記載の廃棄物処理装置に投入して稼働させた場合、発酵、堆肥化が進行せず、処理不能となる。
【０００７】
本発明が解決しようとする課題は、飲食店や一般家庭などで発生する廃棄物や製紙工場で発生するスラッジなどの廃棄物を確実かつ効率良く処理することのできる廃棄物処理技術を提供することにある。
【課題を解決するための手段】
【０００８】
本発明の廃棄物処理剤は、木材チップと、米糠と、籾殻と、杉の樹皮と、樹木の枝片とを含むことを特徴とする。このような成分を有する廃棄物処理剤を、廃棄物とともに処理槽内に投入し、廃棄物の粉砕、撹拌を行えば、廃棄物を確実かつ効率良く処理することが可能となり、最終的には、サラサラ状態に乾燥した粒状若しくは顆粒状の処理物を得ることができる。
【０００９】
このような成分を含む廃棄物処理剤が前述した処理能力を発揮する理由については、適切な分析手段がないので充分な解明ができず、不明な点が多いが、以下のような理由によるものではないかと推測される。即ち、木材チップ、米糠、籾殻などに伴って持ち込まれた有機物分解能力を有する微生物が、米糠などに含まれる成分を栄養源として大量繁殖し、活性化された前記微生物が廃棄物に対して強力な分解能力、発酵作用を発揮するからではないかと推測される。なお、製紙工場で発生するスラッジなどの廃棄物を処理する場合、その前に、飲食店や一般家庭などで発生する食物廃棄物を処理しておくと、前記廃棄物を効率良く処理できる傾向がある。これは、食物廃棄物に含まれる有機成分などを栄養分として前記微生物が大量繁殖するからではないかと推測される。
【００１０】
ここで、前記樹木の枝片として、楠の木の枝片およびネズミモチの木の枝片を用いることが望ましい。このような樹木の枝片を使用することにより、廃棄物の分解速度をさらに速めることができるほか、消臭効果も得られる。このような効果が生じる理由については明確に解明できていないが、楠の木やネズミモチの木の枝片に含まれている樹液中の成分によるものではないかと推測される。
【００１１】
次に、本発明の廃棄物処理方法は、廃棄物を収容可能な処理槽と、前記処理槽内に下端部を開口した状態で立設され周壁に複数の貫通孔が開設された筒状体と、前記筒状体内に回転可能に軸支され螺旋状の撹拌部材を有する撹拌スクリューとを備えた廃棄物処理装置の前記処理槽内に、前述した廃棄物処理剤および廃棄物を収容し、前記撹拌スクリューを回転させて前記廃棄物および前記廃棄物処理剤を撹拌することを特徴とする。
【００１２】
このような構成とすれば、処理槽内に収容された廃棄物処理剤および廃棄物を満遍なく撹拌、破砕することが可能となるため、前述した廃棄物処理剤の分解作用、発酵作用が促進され、飲食店や一般家庭などで発生する廃棄物や製紙工場で発生するスラッジなどの廃棄物を確実かつ効率良く処理することができる。また、処理槽内で肥大化した塊状体に起因する廃棄物処理装置の運転トラブルもなくすことができる。
【００１３】
次に、本発明の処理物は、前述した廃棄物処理装置の処理槽内に、前述した廃棄物処理剤および廃棄物を収容し、前記撹拌スクリューを回転させて前記廃棄物および前記廃棄物処理剤を撹拌することによって形成されたことを特徴とする。このような処理物は、サラサラ状態に乾燥した粒状若しくは顆粒状の物質となるため、植物栽培用の培土、堆肥材料などとして広く利用することができる。
【００１４】
一方、前記廃棄物として製紙工場で発生するスラッジを投入すれば、前述と同様、サラサラ状態に乾燥した粒状若しくは顆粒状の処理物が得られる。ここで、製紙工場で発生するスラッジとは、古紙回収ルートを通じて回収され製紙工場でリサイクルを繰り返すうちに、古紙パルプの主成分である木質繊維が傷ついたり、繊維長が短くなったりして紙として再生できない状態になり、廃棄される物質をいう。
【００１５】
このような処理物は、酸化カルシウム３６〜４１質量％程度、酸化ケイ素２６〜２８質量％程度、酸化アルミニウム２１〜２４質量％程度、酸化マグネシウム５．３〜５．５質量％程度を含有しており、８００℃〜１２００℃程度に加熱しても燃焼したり、変質したりせず、耐熱性に優れている。このため、前記処理物は、例えば、建築資材、塗装材料、窯業材料、電機資材、合成樹脂製品の添加物などとして広く利用することができる。
【発明の効果】
【００１６】
本発明により、飲食店や一般家庭などで発生する食品廃棄物あるいは製紙工場で発生するスラッジなどの廃棄物を効率良く処理することができ、利用価値のある処理物を得ることができる。
【発明を実施するための最良の形態】
【００１７】
以下、図面に基づいて、本発明の実施の形態について説明する。図１は本発明の実施の形態である廃棄物処理剤を使用する廃棄物処理装置を示す一部切欠正面図、図２は図１に示す廃棄物処理装置の正面図、図３は図１に示す廃棄物処理装置の一部省略側面図、図４は図１に示す廃棄物処理装置の平面図、図５は図１に示す廃棄物処理装置の一部切欠正面図、図６は図５におけるＸ−Ｘ線断面図、図７は図１に示す廃棄物処理装置の処理槽内部を示す部分斜視図である。
【００１８】
本実施形態の廃棄物処理剤Ａは表１に示す組成であり、図１などに示す廃棄物処理装置１０を用いて廃棄物Ｎを処理する際に使用するものである。この廃棄物処理剤Ａは、廃棄物処理装置１０の処理槽１内に予め投入しておくことが望ましいが、廃棄物Ｎと同時若しくは前後して投入することもできる。なお、この組成は一例であるため、廃棄物Ｎを構成する物質の種類や処理槽１内での反応状況などに応じて適宜変更可能である。
【００１９】
【表１】
2007181815.tif 000003
【００２０】
ここで、図２〜図７を参照して、廃棄物処理装置１０の構造、機能などについて説明する。廃棄物処理装置１０は、廃棄物Ｎとともに廃棄物処理剤Ａを処理槽１内に投入して作動させることにより、廃棄物Ｎの粉砕、混合、発酵および乾燥、粒状化までの一連の処理を自動的に行うことができる。図２〜図７に示すように、廃棄物処理装置１０は、廃棄物を収容可能な略円筒形状の処理槽１と、処理槽１内に下端部を開口した状態で立設され周壁１３ａに複数の貫通穴１３ｃが開設された筒状体１３と、筒状体１３内で回転可能に軸支された主軸１２ａおよび螺旋形状の撹拌部材１２ｂを有する撹拌スクリュー１２とを備え、撹拌スクリュー１２の撹拌部材１２ｂの上端部に廃棄物の上昇を阻止する円板状のストッパ１２ｄを設け、筒状体１３の下端開口部１３ｇに、一部が開口した略スカート状の誘導部材１３ｂを設け、撹拌スクリュー１２の撹拌部材１２ｂの下端部に誘導部材１３ｂの周壁内面に沿って螺旋状に拡径した補助撹拌部材１２ｃを連設している。
【００２１】
処理槽１の上部には略円錐筒状の屋根部３が設けられ、屋根部３の頂上に処理槽１と連通する排気筒４が立設されている。処理槽１の正面上部には背面側に向かって上り勾配をなす傾斜部１ｓが設けられ、この傾斜部１ｓに廃棄物を投入するための投入口５ａと、投入口５ａを開閉するための開閉扉５ｂとが設けられている。処理槽１は、鋼材で形成された架台２上に固定され、架台２の内部に、撹拌スクリュー１２の回転駆動機構であるモータ９と、減速機１９と、駆動軸１１とが配置され、駆動軸１１が撹拌スクリュー１２の主軸１２ａに連接されている。また、架台２の右側面には、減速機１９、軸受部１１ａ，１２ｘなどへのグリス供給を行うためのグリスニップル１７が配置されている。
【００２２】
処理槽１の右側面には配電盤６が配置され、その後方寄りの部分には、処理槽１内で生成された堆肥を取り出すための排出口８が設けられている。排出口８には、回転ハンドル８ａによって開閉可能な開閉扉８ｂが取り付けられている。また、処理槽１の背面下部には、処理槽１内の清掃などの際に使用する清掃口７が設けられ、清掃口７には開閉扉７ａが取り付けられている。処理槽１の本体部と屋根部３との境界部分には、屋根部３内面に生じる結露水を排出するための隙間Ｓが設けられ、隙間Ｓから落下する結露水を受け止める樋機能を有するカバー２０が隙間Ｓの外周側に配置されている。また、屋根部３の背面部分には処理槽１内で発生する水蒸気などを排出すための排気管１８が設けられている。
【００２３】
図７に示すように、処理槽１の内部に立設された筒状体１３は、その上端外周に放射状に配置された３つの固定部材１３ｅ（図９参照）を、処理槽１の天井部分に配置された固定部材１ｂに取り付けることによって固定されている。筒状体１３の下端開口部１３ｇは処理槽１の底部１ａから離れた位置に配置され、下端開口部１３ｇの背面側の半円領域にスカート状の誘導部材１３ｂが取り付けられ、下端開口部１３ｇの正面側の半円領域は開口した状態となっている。誘導部材１３ｂの下端部と処理槽１の底部１ａとの間には、後述する旋回部材１４が通過可能な隙間が設けられている。
【００２４】
ここで、図８〜図１２を参照し、撹拌スクリュー１２および筒状体１３の形状などについて詳しく説明する。図８は図１に示す廃棄物処理装置を構成する撹拌スクリューなどを示す正面図、図９は図８におけるＢ−Ｂ線断面図、図１０は図１に示す廃棄物処理装置を構成する筒状体および誘導部材などを示す平面図、図１１（ａ）は図１に示す廃棄物処理装置を構成する筒状体および誘導部材などを示す正面図、図１１（ｂ）は前記誘導部材などを示す側面図、図１２は図１に示す廃棄物処理装置を構成する筒状体の展開図である。
【００２５】
図８に示すように、撹拌スクリュー１２の主軸１２ａの下端付近には、撹拌スクリュー１２に伴って回転する旋回部材１４が処理槽１の半径方向に取り付けられ、旋回部材１４の中央付近には、誘導部材１３ｂの周壁外面に沿って撹拌スクリュー１２とともに回転する削落部材１５が取り付けられ、旋回部材１４と主軸１２ａとの接合部分の下方には円板状のスペーサ１２ｇが取り付けられている。図９に示すように、旋回部材１４には、撹拌スクリュー１２の回転方向Ｒに向かって楔形状をなす傾斜面１４ａが設けられている。
【００２６】
図７，図８および図１０に示すように、撹拌スクリュー１２の撹拌部材１２ｂの下端部１２ｈに、誘導部材１３ｂの周壁内面に沿って螺旋状に拡径した補助撹拌部材１２ｃが連設され、補助撹拌部材１２ｃの外周に鋸刃状の切断部１２ｓが複数設けられている。また、図７に示すように、誘導部材１３ｂには水滴形状をした複数の貫通穴１３ｄが開設されている。撹拌スクリュー１２の撹拌部材１２ｂの上端部１２ｉとストッパ１２ｄとの間の主軸１２ａ外周面には、平板状の羽根板１２ｅが主軸１２ａの軸心方向と平行に取り付けられている。
【００２７】
また、図１１，図１２に示すように、筒状体１３の周壁には、水滴形状をした複数の貫通穴１３ｃが開設され、筒状体１３内に配置される撹拌スクリュー１２のストッパ１２ｄ（図８参照）より下方位置に、これらの貫通穴１３ｃよりも大きな排出穴１３ｆが複数開設されている。これらの排出穴１３ｆは角部を丸めた略四辺形であり、撹拌スクリュー１２とともに回転する羽根板１２ｅの回転領域の外側に位置する部分に開設されている。なお、筒状体１３は、図１２に示すように、金属製の板材１３ｐに複数の貫通穴１３ｃおよび排出穴１３ｆを開設し、この板材１３ｐを円筒形に曲げて側縁部同士を溶接することによって形成されている。
【００２８】
廃棄物処理装置１０を使用する場合、前述した廃棄物処理剤Ａを予め処理槽１の内部に適量収容しておく。この状態で、処理槽１の開閉扉５ｂを開いて投入口５ａから処理対象である廃棄物Ｎを投入し、開閉扉５ｂを閉じた後、配電盤６を操作してモータ９を回転させると、筒状体１３および誘導部材１３ｂ内において主軸１２ａとともに撹拌部材１２ｂおよび補助撹拌部材１２ｃが回転方向Ｒに回転し、処理槽１の底部１ａの直上領域において旋回部材１４が回転方向Ｒに旋回する。これによって廃棄物Ｎと廃棄物処理剤Ａとが充分に撹拌、混合される。
【００２９】
そして、処理槽１に投入された廃棄物Ｎは、旋回部材１４の旋回に伴って筒状体１３内で回転する撹拌スクリュー１２とともにスカート状の誘導部材１３ｂ内で回転する螺旋状の補助撹拌部材１２ｃにより、誘導部材１３ｂの正面側の開口部分を経由して筒状体１３の下端開口部１３ｇから筒状体１３内へ導入され、撹拌スクリュー１２の回転によって筒状体１３内を上昇していく。筒状体１３内を上昇する廃棄物Ｎは筒状体１３の周壁に開設された複数の貫通穴１３ｃから押し出されるが、その際に塊状の廃棄物Ｎは、貫通穴１３ｃの内周部分と、撹拌スクリュー１２の撹拌部材１２ｂの外周部分と、の間に挟まれその剪断作用で切断されながら、貫通穴１３ｃから排出され、処理槽１の底部１ａに向かって落下する。また、筒状体１３内において撹拌部材１２ｂの上端部１２ｉ付近まで上昇した比較的細かな廃棄物Ｎは、ストッパ１２ｄに当接して跳ね返り、羽根板１２ｅの回転により外周方向へ誘導され、筒状体１３の上部に開設された排出穴１３ｆから排出され、処理槽１の底部１ａに向かって落下する。
【００３０】
このような運転状態を維持すると、処理槽１内に投入された廃棄物Ｎは、撹拌スクリュー１２の回転により、筒状体１３内への導入、上昇、切断、排出、落下を反復するため、時間の経過とともに廃棄物Ｎの細粒化および発酵処理が進み、発酵作用による温度上昇で水分が蒸発するため、最終的にはサラサラ状態に乾燥した粒状若しくは顆粒状の処理物が形成される。また、処理作業中、処理槽１内の底部１ａにある廃棄物Ｎは、スカート状の誘導部材１３ｂ内で回転する螺旋状の補助撹拌部材１２ｃによって効率良く筒状体１３内へ導入され、筒状体１３内を上昇しながら複数の貫通穴１３ｃから切断排出されるため、処理槽１内に投入された廃棄物Ｎを比較的短時間で粉砕することができる。
【００３１】
また、撹拌スクリュー１２の上端部分にはストッパ１２ｄが円板状の配置されているため、筒状体１３の上端は開口しておらず、筒状体１３内を上昇した廃棄物Ｎはストッパ１２ｄで跳ね返され、羽根板１２ｅの回転により、排出穴１３ｆから排出され、落下する。このため、廃棄物Ｎが筒状体１３の上端開口部に引っ掛かって、廃棄物Ｎが徐々に蓄積されることがなく、連続粉砕、撹拌処理および発酵作用による粒状化を効率的に進行させることができる。
【００３２】
また、筒状体１３の周壁のストッパ１２ｄより下方部分には、貫通穴１３ｃよりも大きな排出穴１３ｆが設けられているため、筒状体１３内を上昇してストッパ１２ｄで跳ね返された廃棄物Ｎは、貫通穴１３ｃより大きな排出穴１３ｆから速やかに排出、落下することとなる結果、廃棄物Ｎの循環が良くなり、連続粉砕、撹拌処理を効率化することができる。この場合、排出穴１３ｆの内側には、撹拌スクリュー１２とともに回転する羽根板１２ｅが設けられているため、排出穴１３ｆの位置まで到達した廃棄物Ｎを速やかに排出穴１３ｆから排出することができる。
【００３３】
また、図７に示すように、撹拌スクリュー１２の撹拌部材１２ｂの螺旋ピッチは、上方に向かって徐々に小さくなっているため、撹拌スクリュー１２の回転で上昇する廃棄物Ｎの上昇速度は上方に行くほど遅くなり、撹拌部材１２ｂと貫通穴１３ｃとによる剪断作用が確実に行われるようになるため、全体的な粉砕速度を高めることができる。
【００３４】
一方、補助撹拌部材１２ｃの外周には鋸刃状の切断部１２ｓを複数設けているため、一部が開口したスカート状の誘導部材１３ｂ内で回転する補助撹拌部材１２ｃは切断作用を有している。従って、外形が大きくそのままでは筒状体１３内に導入できない塊状の廃棄物であっても補助撹拌部材１２ｃで切断、細分化して筒状体１３内へ導入可能となり、粉砕能力が向上する。
【００３５】
また、貫通穴１３ｃ，１３ｄの形状を、上方に向かって内径が徐々に縮径した水滴形状としているため、補助撹拌部材１２ｃや撹拌部材１２ｂの外周部分と、貫通穴１３ｃ，１３ｄの内周との間に挟まれた廃棄物は、撹拌部材１２ｂなどによって押し上げられていくが、上方に向かって徐々に縮径した貫通穴１３ｃ，１３ｄの内周により逃げられないように把持されるため、補助撹拌部材１２ｃや撹拌部材１２ｂによって確実に切断、粉砕されることとなり、粉砕能力が向上する。
【００３６】
さらに、撹拌スクリュー１２の回転に伴って誘導部材１３ｂの周壁外面に沿って回転する削落部材１５を備えているため、誘導部材１３ｂの周壁外面に廃棄物が滞留したり、付着固化したりして、粉砕不良、撹拌不良あるいは発酵不調などのトラブルが生じることもない。
【００３７】
このように廃棄物処理剤Ａが収容された処理槽１内に廃棄物Ｎを投入し、モータ９を稼働させ、撹拌スクリュー１２などを所定時間回転させることにより、廃棄物処理装置１０の処理槽１内の廃棄物Ｎは、粉砕、撹拌されるとともに、廃棄物処理剤Ａの作用による発酵、粒状化が進行する。そして、処理槽１内で生成された粒状若しくは顆粒状の処理物は、回転ハンドル８ａを回転させて開閉扉８ｂを開くことによって排出口８から排出することができる。この場合、モータ９で撹拌スクリュー１２などを回転させながら開閉扉８ｂを開けば処理槽１内の処理物を排出口８から排出することができるが、排出口８は処理槽１の底部１ａより高い位置に開設されているため、処理槽１内の処理物が全て排出されることがない。従って、その後の廃棄物処理に必要な微生物を含む処理物を処理槽１内に残存させておくことができる。なお、処理槽１内の処理物を全て排出したい場合は、底部１ａと同じ高さに開設された清掃口７の開閉扉７ａを開くことにより容易に排出することができる。
【００３８】
本実施形態においては、廃棄物処理装置１０の処理槽１内に、表１に示す成分を含有する廃棄物処理剤Ａを投入しているため、処理槽１内投入された廃棄物Ｎとともに粉砕、撹拌される際に、廃棄物Ｎを効率良く発酵、乾燥、粒状化することができ、悪臭も大幅に削減することができる。前述したように、廃棄物処理剤Ａが優れた発酵、粒状化作用および悪臭削減作用を発揮する理由については不明な点が多いが、木材チップ、米糠、籾殻などに伴って持ち込まれた有機物分解能力を有する微生物が、米糠などに含まれる成分を栄養源として大量繁殖し、豊富な栄養源で活性化された前記微生物が強力な有機物分解能力を発揮することによるものではないかと推測される。
【００３９】
また、廃棄物処理剤Ａを使用すると、発酵作用により処理中の廃棄物の温度が高まり、水分が蒸発するため、最終的には、いわゆるサラサラ状態の粒状若しくは顆粒状の処理物を得ることができる。従って、肥大化した塊状体に起因する、撹拌スクリュー１２や旋回部材１４などの停止や過負荷によるモータ９の損傷などの運転トラブルも発生しない。
【００４０】
本実施形態においては、従来の廃棄物処理装置では処理不能であった、製紙工場のスラッジを廃棄物Ｎとして廃棄物処理装置１０の処理槽１へ投入し、廃棄物処理剤Ａとともに撹拌処理したところ、最終的に、いわゆるサラサラ状態の粒状若しくは顆粒状の処理物を得ることができた。なお、製紙工場で発生するスラッジなどの廃棄物Ｎを処理する場合、その前に、飲食店や一般家庭などで発生する生ゴミなどの廃棄物を処理槽１内で処理しておくと、その後の廃棄物Ｎの処理が効率良く進行する。これは、生ゴミなどに含まれる有機成分などを栄養分として廃棄物処理剤Ａ中の微生物が大量繁殖するからではないかと推測される。
【００４１】
製紙工場で発生するスラッジなどの廃棄物Ｎを処理して最終的に生成した処理物は、ガスバーナーなどで８００〜１２００℃程度まで加熱しても、燃焼したり、変質したりせず、体積も殆ど減少しないという性質を示した。従って、この処理物は、例えば、建築資材（コンクリートの骨材や充填材など）、塗装材料、窯業材料、電機資材、合成樹脂製品の添加物、繊維材料、ガラスやタイルの材料、ガラスやタイルの加工用資材あるいは舗装材などとして広く使用することができる。
【００４２】
なお、廃棄物処理装置１０を用いて廃棄物の処理を行っているときに発生する水蒸気などは排気筒４あるいは排気管１８から排出することができる。廃棄物処理装置１０においては、排気筒４を１本設けているが、これに限定するものではないので、２本以上の通気用筒体を設けることもできる。この場合、一つの通気用筒体に排気ファンを設けて処理槽内の気体を外部へ排出するための排気経路とし、排気ファンによって処理槽内に生じる負圧を利用して、他の筒体を、外気を処理槽内へ導入するための吸気経路とすることもできる。このような構成とすれば、処理槽内の気体の排出および処理槽内への外気の導入が円滑化され、処理槽内の換気性を高めることができる。
【００４３】
本実施形態においては、廃棄物処理装置１０において処理する廃棄物に対して廃棄物処理剤Ａを使用した場合について説明したが、本発明の廃棄物処理剤の使い方はこれに限定するものではないので、その他の廃棄物処理装置においても広く使用可能であり、前述と同様の作用効果を得ることができる。また、本発明の廃棄物処理剤は、ごみ容器などに収容された廃棄物に添加、混合しておくだけでも、一定の発酵作用を得ることができる。さらに、本発明の廃棄物処理剤は、天然由来の成分のみで形成されているため、最終的に得られた処理物が土壌などに撒布されることがあっても、自然環境に悪影響を与えることがなく、安全である。
【産業上の利用可能性】
【００４４】
本発明は、飲食店や一般家庭などで発生する廃棄物あるいは製紙工場で発生するスラッジなどの廃棄物の処理手段として広く利用することができる。
【図面の簡単な説明】
【００４５】
【図１】本発明の実施の形態である廃棄物処理剤を使用する廃棄物処理装置を示す一部切欠正面図である。
【図２】図１に示す廃棄物処理装置の正面図である。
【図３】図１に示す廃棄物処理装置の一部省略側面図である。
【図４】図１に示す廃棄物処理装置の平面図である。
【図５】図１に示す廃棄物処理装置の一部切欠正面図である。
【図６】図５におけるＸ−Ｘ線断面図である。
【図７】図１に示す廃棄物処理装置の処理槽内部を示す部分斜視図である。
【図８】図１に示す廃棄物処理装置を構成する撹拌スクリューなどを示す正面図である。
【図９】図８におけるＢ−Ｂ線断面図である。
【図１０】図１に示す廃棄物処理装置を構成する筒状体および誘導部材などを示す平面図である。
【図１１】（ａ）は図１に示す廃棄物処理装置を構成する筒状体および誘導部材などを示す正面図、（ｂ）は前記誘導部材などを示す側面図である。
【図１２】図１に示す廃棄物処理装置を構成する筒状体の展開図である。
【符号の説明】
【００４６】
１  処理槽
１ａ  底部
１ｂ  固定部材
１ｓ  傾斜部
２  架台
３  屋根部
４  排気筒
５ａ  投入口
５ｂ，７ａ，８ｂ  開閉扉
６  配電盤
７  清掃口
８  排出口
８ａ  回転ハンドル
９  モータ
１０  廃棄物処理装置
１１  駆動軸
１１ａ  軸受部
１２  撹拌スクリュー
１２ａ  主軸
１２ｂ  撹拌部材
１２ｃ  補助撹拌部材
１２ｄ  ストッパ
１２ｅ  羽根板
１２ｇ  スペーサ
１２ｈ  下端部
１２ｉ  上端部
１２ｓ  切断部
１３  筒状体
１３ａ  周壁
１３ｂ  誘導部材
１３ｃ，１３ｄ  貫通穴
１３ｅ  固定部材
１３ｆ  排出穴
１３ｇ  下端開口部
１３ｐ  板材
１４  旋回部材
１４ａ  傾斜面
１５  削落部材
１７  グリスニップル
１８  排気管
１９  減速機
２０  カバー
Ａ  廃棄物処理剤
Ｎ  廃棄物
Ｒ  回転方向
Ｓ  隙間
【図１】
2007181815.tif 000004
【図２】
2007181815.tif 000005
【図３】
2007181815.tif 000006
【図４】
2007181815.tif 000007
【図５】
2007181815.tif 000008
【図６】
2007181815.tif 000009
【図７】
2007181815.tif 000010
【図８】
2007181815.tif 000011
【図９】
2007181815.tif 000012
【図１０】
2007181815.tif 000013
【図１１】
2007181815.tif 000014
【図１２】
2007181815.tif 000015